(57)【要約】【課題】  簡易で安価な生産を可能とする貼り合わせ工法で作成された複数の記録層を有する光記録媒体において、複数の記録層のいずれにおいても良好な記録再生を実現する。【解決手段】  光記録媒体Ｄ１は、基板１上に記録層２と反射膜３を形成したＬ０層と基板４上に反射膜５と記録層６とを形成したＬ１層とを、基板１、４がそれぞれ外側になるように貼り合わせる。Ｌ１層は基板１のレーザ入射面１Ａに向かって凹であるグルーブ４Ｇに対応する記録層６部分（記録用トラック）に情報が記録され、記録用トラックのアドレス情報を保持するプリピットはグルーブ４Ｇが所定の周波数でウォブルしている周期の最も内周側に変位した複数の位置の中から適宜選択された位置で内周側に隣接するランド４Ｌに設けられる。【選択図】      図１
2006099935.tif 000002
【特許請求の範囲】
【請求項１】
光により情報を記録または再生する複数の記録層を有する光記録媒体において、
凹部及び凸部を有する第１の基板上に少なくとも第１の記録層と第１の反射膜とを順次積層した第１層と、
凹部及び凸部を有する第２の基板上に少なくとも第２の反射膜と第２の記録層とを順次積層した第２層とを備え、
前記第１の基板と前記第２の基板とが外側に、前記第１の反射膜と前記第２の記録層とが内側となるよう前記第１層と前記第２層とが貼り合わされ、
前記第１層は、前記第１の基板における前記光の入射面に向かって凸である前記凸部に対応する前記第１の記録層の部分を第１の記録用トラックとし、
前記第２層は、前記第２の基板における前記光の入射面に向かって凹である前記凹部に対応する前記第２の記録層の部分を第２の記録用トラックとし、
前記第１の基板の前記凸部及び第２の基板の前記凹部はそれぞれ所定の周波数でウォブルしており、
前記第２の基板は前記凹部がウォブル周期において前記光記録媒体の内周側に最も変位した複数の位置の中から選択された位置で、前記凹部の内周側に隣接する前記凸部にプリピットが形成されており、
前記プリピットは前記プリピットの外周側に隣接する前記第２の記録用トラックのアドレス情報を保持していることを特徴とする光記録媒体。
【請求項２】
前記光記録媒体の所定の位置に前記第２層に対する記録を前記第２の記録用トラックに行うことを示す識別情報が予め記録されていることを特徴とする請求項１記載の光記録媒体。
【請求項３】
前記識別情報は、前記第１層及び第２層それぞれに記録されていることを特徴とする請求項２記載の光記録媒体。
【請求項４】
光により情報を記録または再生する複数の記録層を有する光記録媒体において、
凹部及び凸部を有する第１の基板上に少なくとも第１の記録層と第１の反射膜とを順次積層した第１層と、
凹部及び凸部を有する第２の基板上に少なくとも第２の反射膜と第２の記録層とを順次積層した第２層とを備え、
前記第１の基板と前記第２の基板とが外側に、前記第１の反射膜と前記第２の記録層とが内側となるよう前記第１層と前記第２層とが貼り合わされ、
前記第１層は、前記第１の基板における前記光の入射面に向かって凸である前記凸部に対応する前記第１の記録層の部分を第１の記録用トラックとし、
前記第２層は、前記第２の基板における前記光の入射面に向かって凹である前記凹部に対応する前記第２の記録層の部分を第２の記録用トラックとし、
前記第１の基板の前記凸部及び第２の基板の前記凹部はそれぞれ所定の周波数でウォブルしており、
前記第２の基板は前記凹部がウォブル周期において前記光記録媒体の外周側に最も変位した複数の位置の中から選択された位置で、前記凹部の外周側に隣接する前記凸部にプリピットが形成されており、
所定の位置に前記第２層に対する記録を前記第２の記録用トラックに行うこと、及び前記プリピットを再生したプリピット信号を検出するために記録再生装置に設定する閾値を前記第２の基板の前記凹部のウォブルに対応したウォブル信号の振幅方向の第１の側と前記第１の側とは反対の第２の側とのいずれとするかを示す識別情報が予め記録されていることを特徴とする光記録媒体。
【請求項５】
前記識別情報は、前記第１層及び第２層それぞれに記録されていることを特徴とする請求項４記載の光記録媒体。
【請求項６】
光記録媒体に対して情報の記録または再生の少なくとも一方を行う記録再生装置において、
所定の周波数でウォブルした記録用トラックと前記記録用トラック間に前記記録用トラックのアドレス情報を示すプリピットが形成され、所定の位置に前記プリピットを再生したプリピット信号を検出するために記録再生装置に設定するための閾値を示す識別情報が記録されている光記録媒体を装着する装着部と、
記録または再生用の光を照射する発光部と前記光記録媒体からの戻り光を受光する受光部とを備えた光ヘッドと、
前記受光部からの受光信号より前記光記録媒体に記録されている前記識別情報を取得する信号処理部と、
前記受光信号に基づいて、前記ウォブルに対応したウォブル信号に前記プリピットに対応したプリピット信号を重畳したプリピット重畳ウォブル信号を生成する信号生成部と、
前記プリピット重畳ウォブル信号より前記プリピット信号を前記閾値に基づいて検出するプリピット検出部と、
前記プリピット信号を復調してアドレス情報を取得するアドレス復調回路と、
前記識別情報に基づいて前記プリピット検出部において前記閾値を前記プリピット信号の振幅方向の第１の側または前記第１の側とは反対の第２の側のいずれかの側に設定させるよう制御する制御部とを備えることを特徴とする記録再生装置。
【発明の詳細な説明】
【技術分野】
【０００１】
本発明は所定の周波数でウォブルしたデータ記録用トラックが基板上に螺旋状または同心円状に形成され、かつ、アドレス情報がプリピットとして予めデータ記録用トラック間に形成されている光記録媒体及びこの光記録媒体に情報（データ）を記録再生する記録再生装置に係り、特に、データ記録用トラックを有する記録層を厚み方向に複数層備えた光記録媒体及び記録再生装置に関する。
【背景技術】
【０００２】
光記録媒体は再生専用型、追記型、書き換え型に大別することができる。一般的に、追記型光記録媒体や書き換え型光記録媒体においては基板上に有機色素や相変化材料からなる記録層が設けられており、例えば、追記型光記録媒体（ＤＶＤ−Ｒ）や書き換え型光記録媒体（ＤＶＤ−ＲＷ）では、映像情報等の記録情報は光記録媒体の径方向に所定の周期をもって蛇行（ウォブル）したグルーブに記録される。なお光記録媒体への情報記録時には、ウォブルに対応して発生したウォブル信号に基づいて記録再生装置のスピンドルモータ回転サーボ用同期信号を生成することによって、光記録媒体の径方向における記録位置に関わらず線速度を一定に保っている。
【０００３】
近年これら光記録媒体の記録容量の大容量化の要望に応えるべく、１枚の光記録媒体の中に記録層を２段階に有し、一方向からレーザ光を照射することで記録再生が行える２層（デュアルレイヤ）型光記録媒体が開発されている。
例えば追記型または書き換え型の２層型光記録媒体の形成方法としては種々の提案がなされており、特開２００３−２８１７９１号公報には積み上げ工法が記載されている。
【０００４】
図１３は、積み上げ工法により作られた２層型光記録媒体（ディスク）Ｄ２の断面図である。ディスクＤ２は、１層（シングルレイヤ）型光記録媒体（例えばＤＶＤ−Ｒ）と同一形状をした記録層を有するＬ０層とＬ１層とが２段に重ねられた構造である。ディスクＤ２において、レーザ入射方向に近い層から、Ｌ０層（１層目）とＬ１層（２層目）とする。
Ｌ０層はレーザ入射面７１Ａを有する基板７１上に形成された記録層７２、反射層７３から構成され、Ｌ１層は基板７４上に形成された記録層７５、反射層７６から構成される。Ｌ０層及びＬ１層は、記録層７２、７５それぞれのグルーブ７１Ｇ、７４Ｇに焦点を結ぶレーザ光Ｌａ及びＬｂで情報が記録再生される。なお、図１３に示す従来例ではＬ０層、Ｌ１層ともに１層型光記録媒体と同じオングルーブ記録によって情報が記録され、ランドプリピットはＬ０層、Ｌ１層ともに同じ規定で設けられている。オングルーブ記録の定義については後述する。
【０００５】
ところで積み上げ工法は、Ｌ０層の基板７１から記録層７２等を図１３に示すように順次積み上げて２層型光記録媒体を形成するため、工程が非常に複雑で高い生産性を望みにくい。特にＬ１層の基板部分７４は、柔軟性を有する型を用いてフォトポリマー（２Ｐ樹脂）を成形することによって得なければならないために、成形後の剥離工程や柔軟性を有する型の寿命に問題があった。
【０００６】
この積み上げ工法による問題点を解決するものとして、特開２００３−３０３４４７号公報には製造工程が簡易となる貼り合わせ工法が記載されている。貼り合わせ工法では、１層型光記録媒体と同様の形成方法を用いてＬ０層とＬ１層の基板をそれぞれ射出成形で形成し、それぞれの基板上に記録層や反射層を設けた後これらを貼り合わせることで１枚の２層型光記録媒体とする。これにより従来の１層型光記録媒体製造工程の多くを流用でき、複雑な工程が不要なことから製造工程が簡易で、光記録媒体を安価に製造することができる。
【特許文献１】特開２００３−２８１７９１号公報
【特許文献２】特開２００３−３０３４４７号公報
【発明の開示】
【発明が解決しようとする課題】
【０００７】
ところが貼り合わせ工法を採用した場合、Ｌ１層に情報を記録する際にオングルーブ記録を行うと反射層の影響を受け、クロスライト等の問題が生じることが判明した。
【０００８】
ここでオングルーブ記録と、相対する記録方法であるイングルーブ記録について詳述する。
追記型または書き換え型の光記録媒体は、その基板上に凹凸の溝が同心円状または螺旋状に配されており、一部の形式（ＤＶＤ−ＲＡＭ）を除いて、凹凸の溝の一方のみを記録領域として用いる。この凹凸の溝のうち記録領域として用いられるものをグルーブと呼ぶ。つまり基板においてレーザ光が入射する面（レーザ光入射面）に向かって凸であるか凹であるかに関係なく、記録領域として用いられる溝がグルーブであり、このグルーブと隣接してグルーブと凹凸を逆にする溝をランドと呼ぶ。
オングルーブ記録とは、基板に設けたランドとグルーブの中で、レーザ光入射面に向かって凸となる部分に塗布された記録材料に記録する方法である。ＤＶＤ−ＲやＤＶＤ−ＲＷなどの片面記録型の光記録媒体（記録容量４．７ＧＢ）はオングルーブ記録方式を採用している。
これに対してイングルーブ記録とは、レーザ光入射面に向かって凹となる部分に塗布された記録材料に記録する方法である。
【０００９】
貼り合わせ工法を採用すると、Ｌ０層は基板の凹凸を有する面上に記録層を塗布し、そのあと反射層がほぼ平面状に記録層上に形成される。これに対し、Ｌ１層では記録層の塗布に先立って反射層が基板上に形成されるため、反射層が基板の凹凸に従った凹凸形状となる。そして、Ｌ１層を構成する基板上の記録層とＬ０層を構成する基板上の記録層とを、互いに基板を外側に向けて対向して配置する。
【００１０】
反射層が上で述べたような凹凸形状になるため、Ｌ１層でオングルーブ記録を行うと記録部分であるグルーブ（レーザ入射面に向かって凸）において記録のために照射されたレーザ光による熱が横方向に広がってしまう。これはレーザ光の熱が熱伝導率の良好な反射層を伝わってレーザ入射面に向かって凹であるランドにまで拡散するからであり、ランドに形成されている記録層にも情報記録が行われてしまう。
そのため、グルーブ上の記録情報を読みとる際に隣接するランド部分の記録情報を誤って読みとってしまうことが判明した。
【００１１】
この問題に対しては、レーザの入射面に向かって凹部を記録に用いるグルーブとする、イングルーブ記録が解決策となる。イングルーブ記録を採用することにより、グルーブ（凹）に形成されている記録層を反射層が十分に冷却でき、レーザ光の熱が横方向に広がることがない。
【００１２】
ところがＤＶＤ−ＲやＤＶＤ−ＲＷ等の光記録媒体はオングルーブ記録を標準としており、イングルーブ記録を採用すると光記録再生装置がトラッキングできなくなるだけでなく、ランドプリピットを再生したプリピット信号も正しく検出できなくなる。
【００１３】
そこで本発明の目的は、貼り合わせ工法で作成した複数の記録層を有する光記録媒体において、複数の記録層のいずれにおいても良好な記録再生を実現することができる光記録媒体を提供することである。本発明の他の目的は、イングルーブ記録を行ってもプリピット信号を正しく検出でき、良好な記録再生を行うことができる光記録媒体及び記録再生装置を提供することである。
【課題を解決するための手段】
【００１４】
上記目的を達成するための手段として、本発明は、下記（ａ）〜（ｆ）の構成を有する光記録媒体および記録再生装置を提供する。
（ａ）光により情報を記録または再生する複数の記録層を有する光記録媒体（Ｄ１）において、凹部及び凸部を有する第１の基板（１）上に少なくとも第１の記録層（２）と第１の反射膜（３）とを順次積層した第１層（Ｌ０層）と、凹部及び凸部を有する第２の基板（４）上に少なくとも第２の反射膜（５）と第２の記録層（６）とを順次積層した第２層（Ｌ１層）とを備え、前記第１の基板と前記第２の基板とが外側に、前記第１の反射膜と前記第２の記録層とが内側となるよう前記第１層と前記第２層とが貼り合わされ、前記第１層は、前記第１の基板における前記光の入射面（１Ａ）に向かって凸である前記凸部（１Ｇ）に対応する前記第１の記録層の部分を第１の記録用トラックとし、前記第２層は、前記第２の基板における前記光の入射面に向かって凹である前記凹部（４Ｇ）に対応する前記第２の記録層の部分を第２の記録用トラックとし、前記第１の基板の前記凸部及び第２の基板の前記凹部はそれぞれ所定の周波数でウォブルしており、前記第２の基板は前記凹部がウォブル周期において前記光記録媒体の内周側に最も変位した複数の位置の中から選択された位置で、前記凹部の内周側に隣接する前記凸部（４Ｌ）にプリピット（４Ｐ）が形成されており、前記プリピットは前記プリピットの外周側に隣接する前記第２の記録用トラックのアドレス情報を保持していることを特徴とする光記録媒体。
（ｂ）前記光記録媒体の所定の位置に前記第２層に対する記録を前記第２の記録用トラックに行うことを示す識別情報が予め記録されていることを特徴とする（ａ）記載の光記録媒体。
（ｃ）前記識別情報は、前記第１層及び第２層それぞれに記録されていることを特徴とする（ｂ）記載の光記録媒体。
（ｄ）光により情報を記録または再生する複数の記録層を有する光記録媒体（Ｄ１）において、凹部及び凸部を有する第１の基板（１）上に少なくとも第１の記録層（２）と第１の反射膜（３）とを順次積層した第１層（Ｌ０層）と、凹部及び凸部を有する第２の基板（４）上に少なくとも第２の反射膜（５）と第２の記録層（６）とを順次積層した第２層（Ｌ１層）とを備え、前記第１の基板と前記第２の基板とが外側に、前記第１の反射膜と前記第２の記録層とが内側となるよう前記第１層と前記第２層とが貼り合わされ、前記第１層は、前記第１の基板における前記光の入射面（１Ａ）に向かって凸である前記凸部（１Ｇ）に対応する前記第１の記録層の部分を第１の記録用トラックとし、前記第２層は、前記第２の基板における前記光の入射面に向かって凹である前記凹部（４Ｇ）に対応する前記第２の記録層の部分を第２の記録用トラックとし、前記第１の基板の前記凸部及び第２の基板の前記凹部はそれぞれ所定の周波数でウォブルしており、前記第２の基板は前記凹部がウォブル周期において前記光記録媒体の外周側に最も変位した複数の位置の中から選択された位置で、前記凹部の外周側に隣接する前記凸（４Ｌ）部にプリピット（４Ｐ）が形成されており、所定の位置に前記第２層に対する記録を前記第２の記録用トラックに行うこと、及び前記プリピットを再生したプリピット信号を検出するために記録再生装置に設定する閾値を前記第２の基板の前記凹部のウォブルに対応したウォブル信号の振幅方向の第１の側と前記第１の側とは反対の第２の側とのいずれとするかを示す識別情報が予め記録されていることを特徴とする光記録媒体。
（ｅ）前記識別情報は、前記第１層及び第２層それぞれに記録されていることを特徴とする（ｄ）記載の光記録媒体。
（ｆ）光記録媒体（Ｄ１）に対して情報の記録または再生の少なくとも一方を行う記録再生装置において、所定の周波数でウォブルした記録用トラックと前記記録用トラック間に前記記録用トラックのアドレス情報を示すプリピットが形成され、所定の位置に前記プリピットを再生したプリピット信号を検出するために記録再生装置に設定するための閾値を示す識別情報が記録されている光記録媒体を装着する装着部（５８）と、記録または再生用の光を照射する発光部（３３）と前記光記録媒体からの戻り光を受光する受光部（６０）とを備えた光ヘッド（３４）と、前記受光部からの受光信号より前記光記録媒体に記録されている前記識別情報を取得する信号処理部（５６）と、前記受光信号に基づいて、前記ウォブルに対応したウォブル信号に前記プリピットに対応したプリピット信号を重畳したプリピット重畳ウォブル信号を生成する信号生成部（５７）と、前記プリピット重畳ウォブル信号より前記プリピット信号を前記閾値に基づいて検出するプリピット検出部（３６）と、前記プリピット信号を復調してアドレス情報を取得するアドレス復調回路（３７）と、前記識別情報に基づいて前記プリピット検出部において前記閾値を前記プリピット信号の振幅方向の第１の側または前記第１の側とは反対の第２の側のいずれかの側に設定させるよう制御する制御部（５４，５５）とを備えることを特徴とする記録再生装置。
【発明の効果】
【００１５】
本発明によれば、貼り合わせ工法で作成した複数の記録層を有する光記録媒体であるので簡易で安価に生産することが可能となり、複数の記録層のいずれにおいても良好な記録再生を実現することができる。更にはイングルーブ記録を行ってもプリピット信号を正しく検出でき、良好な記録再生を行うことができる。
【発明を実施するための最良の形態】
【００１６】
≪光記録媒体の構成≫
まず貼り合わせ工法による本発明の光記録媒体の一実施形態を詳細に説明する。なお本実施形態では、追記型光記録媒体（ＤＶＤ−Ｒ）を例として説明するが、相変化材料を用いた書き換え型光記録媒体（ＤＶＤ−ＲＷ）であってもよい。
図１に貼り合わせ工法による光記録媒体Ｄ１の拡大断面図を示す。片面に所定の周波数で蛇行（ウォブル）しているグルーブ１Ｇを形成した基板１上に、有機色素記録層２、半透過反射膜３を順次積層している。これを第１層（Ｌ０層）とする。グルーブ１Ｇに対応する有機色素記録層２の部分がデータ記録用トラックとなる。
基板１は、記録再生に用いるレーザ光に対して透明度の高い物質で形成され、生産効率等の観点から一般には射出成形による基板形成が可能な樹脂、特にポリカーボネートやアクリル樹脂などが用いられる。基板１の片面は表面が平らな入射面１Ａとなっており、入射面１Ａを通して記録又は再生のために記録再生装置の光ヘッド３４（光ピックアップ）（図１０参照）から出射したレーザ光が入射する。レーザ光の入射方向をＬとする。
基板１の入射面１Ａと向かい合う面には、入射面１Ａに向かって凸であるグルーブ１Ｇ（凸部）と、凹であるランド１Ｌ（凹部）とが設けられている。ここでランド１Ｌとグルーブ１Ｇは一対となって螺旋状又は同心円状に基板１上面に形成され、グルーブ１Ｇが所定の周期でウォブルをしている（図４参照）。
【００１７】
この基板１上に既述したように有機色素記録層２、半透過反射膜３を順次積層してＬ０層となる。記録材料として用いられる色素材料は、シアニン系、フタロシアニン系、アゾ系などの基本骨格をもつ有機色素を、成分調整の上、示差熱特性や波長特性を最適化し、スピンコータ等で塗布する。
Ｌ０層の構成は、反射膜３がＬ１層への記録再生の際にレーザ光が透過できるよう半透過であること以外は、基本的に従来の１層型光記録ディスクの構成と同じである。
【００１８】
同様に、レーベル面４Ｂに対向する面に所定の周波数で蛇行（ウォブル）しているグルーブ４Ｇを形成した基板４上に、反射膜５、有機色素記録層６、保護層７を順次積層し、第２層（Ｌ１層）としている。基板４は記録再生用レーザ光に対する透明性は求められないが、生産性を考慮して通常はＬ０層の基板１と同じ樹脂成形が用いられる。基板４にはグルーブ４Ｇ及びランド４Ｌが設けられ、グルーブ４Ｇが所定の周期でウォブルをしている（図９参照）。グルーブ４Ｇに対応する有機色素記録層６の部分がデータ記録用トラックとなる。
Ｌ０層の有機色素記録層２とＬ１層の有機色素記録層６とが内側を向くようにそれぞれの基板１、４を外側に向けて、半透過反射膜３と保護層７とを中間層（接着層）１０を介して対向貼り合わせした構成を光記録媒体Ｄ１の基本構成とする。
ここで、貼り合わせて形成した光記録媒体Ｄ１において、基板４の入射面１Ａに向かって凹である凹部がグルーブ４Ｇであり、入射面１Ａに向かって凸である凸部がランド４Ｌである。
【００１９】
記録又は再生用レーザ光は基板１の入射面１Ａ側から照射され、Ｌ０層への記録ではＬ０層のグルーブ１Ｇ上に形成された有機色素記録層２の色素膜Ｒ０へ、Ｌ１層への記録ではＬ１層のグルーブ４Ｇ上に形成された有機色素記録層６の色素膜Ｒ１へそれぞれレーザ光をフォーカスさせる。フォーカス分離のために中間層１０は５０μｍ程度の厚さが必要である。
このように本実施形態ではＬ０層に対してはオングルーブ記録し、Ｌ１層に対してはイングルーブ記録を行う。
【００２０】
図２に光記録媒体Ｄ１の平面図を示す。光記録媒体Ｄ１はセンターホール２１と、その外周にクランプエリア２２を有する。クランプエリア２２の外周には情報エリア（リードインエリア）２３が同心円状に設けられていて、さらにその外周領域は映像情報や音声情報等の実データを記録するための記録エリア２４となっている。
リードインエリア２３には、光記録媒体Ｄ１が良好な記録再生特性を得るための記録条件が識別情報として記録されている。識別情報は例えば後述する記録エリア２４への記録をイングルーブ記録あるいはオングルーブ記録いずれの記録方法を用いて行うかを示すもの、記録再生装置においてプリピットを再生したプリピット信号を検出する際に設定する閾値の情報などである。ここで、リードインエリア２３は、ＲＯＭ状態またはＲＡＭ状態のどちらであっても良い。その他に、トラッキング信号を得るためのレーザガイド溝に高周波ウォブルやピットを形成することにより、識別情報を再生専用の記録情報として格納する方法もある。なお、リードインエリア２３はＬ０層、またはＬ１層に設けられている。
【００２１】
図３は基板１を部分的に拡大して示す拡大斜視図である。図３において、１Ｌ1、１Ｌ2、１Ｌ3はそれぞれランドであり、１Ｇ1、１Ｇ2はそれぞれグルーブである。ランド１Ｌ1にはプリピット（ランドプリピット＝ＬＰＰ）１Ｐ1と呼ばれるピットが形成されている。ここでランド１Ｌ1〜１Ｌ3をランド１Ｌと総称し、グルーブ１Ｇ1、１Ｇ2をグルーブ１Ｇと総称する。プリピット１Ｐ1を、総称としてのプリピット１Ｐの一つであるとする。更に図３における内周側をＴin、外周側をＴoutとして表す。なお、図３では簡略化のためランド１Ｌとグルーブ１Ｇとを直線で描いている。
図３に示す例ではランドプリピット１Ｐをランド１Ｌの両側にある隣接するグルーブ１Ｇをつなぎ、グルーブ１Ｇの底面と同一面を形成するようにランド１Ｌを彫り込んで形成しているが、レーザ光を十分に変調することができれば、これに限定されるものではない。また、図３ではランドプリピット１Ｐを一つしか図示していないが、予め決められた規定（ＤＶＤ規格）に基づいて複数箇所に形成されている。
【００２２】
基板１を、図１において光記録媒体Ｄ１の上面であるレーベル面４Ｂ側から見た拡大図を図４に示す。図４における内周側をＴin、外周側をＴoutとして表す。先に述べたようにＬ０層はオングルーブ記録されるため、入射面１Ａに向かって凸となるグルーブ１Ｇに対応する記録層２の部分がデータ記録用トラックである。またグルーブ１Ｇは蛇行してウォブルを形成している。
ランドプリピット１Ｐはウォブルと関連して配されており、一般に情報の記録または再生時においては、ランドプリピット１Ｐより得られるランドプリピット信号（ＬＰＰ信号）に基づいて、記録エリア２４のアドレス（位置）情報を特定している。
【００２３】
例えば図３、図４に示すようなＤＶＤ−ＲやＤＶＤ−ＲＷにおいて標準とされるオングルーブ記録では、ランドプリピット１Ｐ1はグルーブ１Ｇ1がウォブリングにより蛇行する１周期の中で最も外周方向Ｔoutに変位した複数の位置の中から適宜選択された位置で、外周側Ｔoutに隣接するランド１Ｌ1に設けられている。従ってランドプリピット１Ｐ1はその内周側Ｔinに隣接するデータ記録用トラック（グルーブ１Ｇ1に対応する記録層２部分）のアドレスを保持している。
【００２４】
従って情報の記録再生時において、グルーブ１Ｇ1の幅方向の中心線近傍にビームスポットの中心を位置させるようレーザ光を照射し、このグルーブ１Ｇ1に対して外周側に位置するランドプリピット１Ｐ1により発生する信号を検出すれば、現在ビームスポットが当たっているデータ記録用トラックのアドレスを特定することができる。
【００２５】
図５（ａ）は、光記録媒体Ｄ１を構成するＬ０層の基板１上のグルーブ１Ｇとランド１Ｌ、ランドプリピット１Ｐの関係を模式的に示したものである。
記録再生装置に設けられた光ヘッド３４（図１０）から発せられたレーザ光のビームスポットの戻り光（反射光）Ｒを用いて光ヘッド３４が進行方向Ｓに移動する際のトラッキングを制御する。レーザ光のビームスポットはウォブルには影響されず直進（実際には光記録媒体Ｄ１上で円を描いて進行）する。
【００２６】
光ヘッド３４は一般に図６に示す４分割受光素子（フォトディテクタ）６０を有する。それぞれのフォトディテクタ６０ａ〜６０ｄは、所定のパルスパターンである記録レーザ光または一定のパワーを有する再生レーザ光を光記録媒体Ｄ１のグルーブ１Ｇに沿って照射したスポット光が、光記録媒体Ｄ１の回転に伴って進行方向Ｓに移動する間に光記録媒体Ｄ１で反射された戻り光Ｒを検出する。そして、例えば進行方向Ｓに対して内周側Ｔinにあるフォトディテクタ６０ａ、６０ｂからの出力和（Ｉａ＋Ｉｂ）と外周側Ｔoutにあるフォトディテクタ６０ｃ、６０ｄからの出力和（Ｉｃ＋Ｉｄ）との差を算出したものを基に、（１）式に示すようにラジアルプッシュプル信号Ｓrppを生成する。
Ｓrpp＝（Ｉａ＋Ｉｂ）−（Ｉｃ＋Ｉｄ）…（１）
【００２７】
戻り光Ｒの強度は、グルーブ１Ｇのウォブルに対応して進行方向Ｓに対して内周側Ｔinまたは外周側Ｔoutに変化するのでラジアルプッシュプル信号Ｓrppはウォブル信号となる。そしてランドプリピット１Ｐの存在により、ラジアルプッシュプル信号Ｓrppはウォブル信号にランドプリピット信号が重畳した形となる。すなわち、ラジアルプッシュプル信号Ｓrppはプリピット重畳ウォブル信号である。
【００２８】
光ヘッド３４のトラッキングは、ラジアルプッシュプル信号Ｓrppの絶対値が最小となるようレーザ光の位置が制御されることで行われる。
このとき光記録媒体Ｄ１に記録されているウォブルの周波数は光ヘッド用トラッキングサーボ（アクチュエータ制御部３５）の制御帯域よりも十分に高く設定されているため、光ヘッド３４（ビームスポット）はウォブルに追従しない。そのため、ラジアルプッシュプル信号Ｓrppにはウォブル信号が表れることになる。
【００２９】
図５（ｂ）にラジアルプッシュプル信号Ｓrppを模式的に示す。前述のように光ヘッド３４はウォブルに追従しないため、ラジアルプッシュプル信号Ｓrppにはウォブルによる波形（ウォブル信号）Ｓwが表れるとともに、ウォブル信号Ｓwにランドプリピット信号Ｓp-、Ｓp+が重畳する。
ここでラジアルプッシュプル信号Ｓrppの極性を、０Ｖを基準に信号出力が大となる方向を正、信号出力が小となる方向を負とする。なお、ランドプリピット信号Ｓp-、Ｓp+がウォブル波形Ｓwの両極に生じるのは、ランドプリピット１Ｐがグルーブ１Ｇ間をつなぐように設けられており、レーザ光のビームスポット径が、グルーブ１Ｇの幅よりも大きいためである。
【００３０】
ここで（１）式に基づくと、負方向に現れるランドプリピット信号Ｓp-は、戻り光Ｒの外周側Ｔoutに位置するランドプリピット１Ｐに起因した信号となり、正方向へ現れるランドプリピット信号Ｓp+は、戻り光Ｒの内周側Ｔinに位置するランドプリピット１Ｐに起因した信号となる。従ってオングルーブ記録においては、ランドプリピット信号Ｓp-はアドレスを示す正規の信号であり、ランドプリピット信号Ｓp+はアドレスを示す本来の信号ではないことが分かる。
【００３１】
以上より、オングルーブ記録において必要なランドプリピット信号を得るには、ラジアルプッシュプル信号Ｓrppの負方向に現れるランドプリピット信号Ｓp-を検出すればよい。従って図５（ｂ）に示すように閾値Ｔを、ラジアルプッシュプル信号Ｓrppの振幅方向において負方向側（第１の側）、すなわちウォブルによるウォブル信号Ｓwの振幅方向の負方向側でランドプリピット信号Ｓp-の有無を確認できるように、後述する記録再生装置に設定する。このような閾値Ｔを越える信号のみを記録再生装置が検出するようにすることで、必要なランドプリピット信号Ｓp-を得ることができる。
なお、信号の誤検出を避けるため、負方向へ振れるランドプリピット信号Ｓp-と正方向に振れるランドプリピット信号Ｓp+が同時に出現しないよう、つまりランドプリピット１Ｐが半径方向に並ばないよう、その配置は調整されている。
【００３２】
図７（ａ）はオングルーブ記録であるＬ０層のグルーブ１Ｇとランドプリピット１Ｐとの関係を示す模式図である。これは図５（ａ）の一部を抜き出したものに相当する。図５（ａ）と同一部分には同一の記号を付し、その説明を省略する。図７（ｂ）に、グルーブ１Ｇに照射したレーザ光の戻り光Ｒを検出し、（１）式に基づいて生成したラジアルプッシュプル信号Ｓrppを示す。
本実施形態では入射面１Ａに向かってグルーブ１Ｇが凸、ランド１Ｌが凹となっているため、グルーブ１Ｇの戻り光量は、ランド１Ｌの戻り光量と比較して大きい。従って例えば図７（ａ）における戻り光Ｒは、進行方向Ｓに対して内周側Ｔinの戻り光量が大きい。
そのため（１）式に基づいてラジアルプッシュプル信号Ｓrppを生成すると、図７（ｂ）に示すようにグルーブ１Ｇが内周側Ｔinに振れているときは信号出力が正方向に大となり、外周側Ｔoutに振れているときは信号出力が負方向に大となる。
【００３３】
次いでＬ１層について説明する。
ここで、本発明ではＬ１層にイングルーブ記録を採用するため、情報はレーザ入射面１Ａに向かって凹であるグルーブ４Ｇに対応する記録層６部分（記録用トラック）に記録される。ランドプリピット４Ｐは入射面１Ａに向かって凸であるランド４Ｌに設けられ、その底部はグルーブ４Ｇの底部とほぼ同一面を形成する。なお、ランドプリピット４Ｐは図３に示したランドプリピット１Ｐと同様の形状である。
【００３４】
図８（ａ）にイングルーブ記録であるＬ１層の、グルーブ４Ｇとランドプリピット４Ｐとの関係を示す模式図を示す。図８（ｂ）はグルーブ４Ｇに照射したレーザ光の戻り光Ｒを検出し、（１）式に基づいて生成したラジアルプッシュプル信号Ｓrppを示す。
本実施形態ではレーザ入射面１Ａに向かってグルーブ４Ｇが凹となり、ランド４Ｌが凸となるために、相対的にグルーブ４Ｇの戻り光量が少なくなる。このため、図８（ａ）における戻り光Ｒでは進行方向Ｓに対して内周側Ｔinよりも外周側Ｔoutの戻り光量が大きくなる。ラジアルプッシュプル信号Ｓrppは図８（ｂ）に示すように、グルーブ４Ｇが内周側Ｔinに振れているときは信号出力が負方向に大となり、外周側Ｔoutに振れているときは信号出力が正方向に大となる。
【００３５】
ところでイングルーブ記録の際に、ランドプリピット４Ｐをオングルーブ記録の場合のランドプリピット１Ｐと同様の位置、すなわちグルーブ４Ｇが最も外周側Ｔoutにウォブルした位置の外周側Ｔoutに隣接するランド４Ｌに設けると次のような問題がある。
Ｌ１層におけるランドプリピット４Ｐは凹であるため、戻り光量が少なく、そのため図８（ｂ）に示すように正方向にランドプリピット信号Ｓp+が現れる。従って従来と同様にウォブル信号Ｓwの振幅方向における負方向側に閾値Ｔを設けても、ランドプリピット信号Ｓp+を抽出できないことになる。
【００３６】
≪第一実施例≫
そこで、本実施形態の光記録媒体Ｄ１において、第一実施例としてＬ１層のランドプリピット４Ｐの位置を変更した。
【００３７】
図９に基板４をレーベル面４Ｂ側を底面として１Ａ側から見た拡大図を示す。ランドプリピット４Ｐ1を、グルーブ４Ｇ2が１周期ウォブリングする中で最も内周側Ｔinに変位した複数の位置の中から適宜選択された位置で、内周側Ｔinに隣接するランド４Ｌ1に形成する。ランドプリピット４Ｐ1は外周側Ｔoutに隣接する記録用トラック（グルーブ４Ｇ2に対応する記録層６部分）のアドレス情報を保持する。
このようにランドプリピット４Ｐを配置することで図８（ｂ）に示すように負方向にランドプリピット信号Ｓp-が現れる。そのため従来どおりにウォブル信号Ｓwの振幅方向において負方向側に設定した閾値Ｔで、ランドプリピット信号Ｓp-を検出することが可能となる。
【００３８】
さらに第一実施例においては、光記録媒体Ｄ１のリードインエリア２３（図２参照）に、Ｌ０層に対する記録をオングルーブ記録で行い、Ｌ１層に対する記録をイングルーブ記録で行う旨の識別情報が記録されている。記録再生装置は上記の識別情報を読みとり、Ｌ０層に対する記録においてはオングルーブ記録を、Ｌ１層に対する記録においてはイングルーブ記録を行う。識別情報としてランドプリピット信号を検出する際に記録再生装置に設定する閾値の情報を加えてもよい。具体的な記録再生装置の構成及び動作は後述する。
これにより簡易で経済的な製造方法により生産でき、Ｌ０層、Ｌ１層のいずれにおいても良好な記録再生を実現することができる２層型光記録媒体とすることができる。第一実施例によれば記録再生装置において設定するプリピット信号を検出する際の閾値を従来と変更する必要がなく、Ｌ１層に対してイングルーブ記録を行ってもプリピット信号を正しく検出することができる。
【００３９】
≪第二実施例≫
既に述べたように、イングルーブ記録においてランドプリピット４Ｐをオングルーブ記録における配置と同様にすると、図８（ｂ）に示すランドプリピット信号Ｓp+が現れる。そこで第二実施例では、ランドプリピット４Ｐをオングルーブ記録における配置と同様にして、ランドプリピット信号Ｓp+を抽出するために記録再生装置にウォブル波形Ｓwの振幅方向において正方向側（第２の側）で十分離れた位置に閾値Ｔ’を設定した。また、Ｌ０層に対する記録をオングルーブ記録で行い、Ｌ１層に対する記録をイングルーブ記録で行う旨及び、記録再生装置に対してＬ０層のＬＰＰ検出ではウォブル信号Ｓwの振幅方向において負方向側に閾値Ｔを設定し、Ｌ１層のＬＰＰ検出ではウォブル信号Ｓwの振幅方向において正方向側に閾値Ｔ’を設定する旨の識別情報がリードインエリア２３に記録されている。
【００４０】
≪光記録再生装置≫
図１０に、光記録媒体Ｄ１に情報を記録再生するための本発明の一実施形態である光記録再生装置を示す。本実施形態では一例として記録再生装置を用いて説明するが、記録専用装置、再生専用装置であってもよい。記録再生装置とは、記録または再生の少なくとも一方を行う装置と定義する。
【００４１】
光記録媒体Ｄ１が装着部（トレイ）５８に装着されると、スピンドルモータ３１は光記録媒体Ｄ１を回転させる。スピンドルモータ３１の回転数が目的の記録速度に対応する記録線速度となるよう回転制御部３２が制御する。また光記録媒体Ｄ１の記録・再生または消去に用いる半導体レーザ（ＬＤ）３３や、ＬＤ３３のレーザ光を集光照射させる対物レンズ（図示せず）及び４分割受光素子６０を備えた光ヘッド３４が、光記録媒体Ｄ１の半径方向に移動自在に設けられている。
なお、本実施形態の記録再生装置に用いる記録用の光源としては、レーザ光、ストロボ光のように高強度の光源が好ましい。なかでも半導体レーザ光は光源が小型化できること、消費電力が小さいこと、変調が容易であることから好ましい。
【００４２】
記録再生用の光ヘッド３４の４分割受光素子６０は、光記録媒体Ｄ１にＬＤ３３から照射したレーザ光の反射光を受光する。４分割受光素子６０が受光した光に基づいて、信号生成部５７は上述したラジアルプッシュプル信号Ｓrppを生成し、ウォブル・ＬＰＰ検出部３６に出力する。また、４分割受光素子６０が受光した光に基づいて信号生成部５７はフォーカスエラー信号及びトラッキングエラー信号をドライブコントローラ５４に出力する。更に、信号生成部５７は合成信号である再生信号（ＲＦ信号）を生成し、再生信号処理部５６に出力する。
【００４３】
ドライブコントローラ５４は、信号生成部５７より供給されたフォーカスエラー信号及びトラッキングエラー信号に基づいてアクチュエータ制御部３５を制御する。アクチュエータ制御部３５は光ヘッド３４の光記録媒体Ｄ１へのフォーカス及びトラッキングを制御する。
ドライブコントローラ５４は回転制御部３２、ウォブル・ＬＰＰ検出部３６、アドレス復調回路３７、記録クロック生成部３８も制御する。
システムコントローラ５５はドライブコントローラ５４及び各部を制御している。
【００４４】
ウォブル・ＬＰＰ検出部３６はプログラマブルバンドパスフィルタ（ＢＰＦ）３６１及び閾値設定部３６２を備え、検出したウォブル信号及びランドプリピット信号（ＬＰＰ信号）をアドレス復調回路３７に出力する。アドレス復調回路３７は検出されたウォブル信号及びＬＰＰ信号からアドレス情報を復調して出力する。
【００４５】
ここで、記録再生装置における光記録媒体Ｄ１の再生動作を詳述する。
既に記録エリア２４に情報が記録された光記録媒体Ｄ１が記録再生装置の装着部５８に装着されると、光ヘッド３４のＬＤ３３はリードインエリア２３にレーザ光を照射し、光ヘッド３４は４分割受光素子６０で受光した反射光を信号生成部５７に供給する。信号生成部５７は反射光に基づいて生成した再生信号を再生信号処理部５６に供給する。再生信号処理部５６は供給された再生信号を復調し、識別情報をシステムコントローラ５５に供給する。識別情報にはすでに述べたように、記録方法がイングルーブ記録あるいはオングルーブ記録であるかを示す旨の記録方法情報や、ＬＰＰ信号を検出するために記録再生装置に設定する閾値（ＴまたはＴ’）を示す情報等が含まれている。
システムコントローラ５５は識別情報をメモリ５５１に書き込み、この識別情報に基づいてドライブコントローラ５４を制御する。ドライブコントローラ５４はシステムコントローラ５５からの制御に基づいて、アクチュエータ制御部３５、ウォブル・ＬＰＰ検出部３６、アドレス復調回路３７を制御する。
【００４６】
光記録媒体Ｄ１のＬ０層、Ｌ１層に対する記録方法がイングルーブ記録であるかあるいはオングルーブ記録であるかを示す制御信号に基づき、アクチュエータ制御部３５は制御される。アクチュエータ制御部３５は光ヘッド３４のフォーカス及びトラッキングをオングルーブ記録またはイングルーブ記録それぞれの記録方法に適するよう制御する。
システムコントローラ５５からドライブコントローラ５４へ供給された、ＬＰＰ信号を検出するために記録再生装置に設定する閾値の情報を示す制御信号に基づき、ウォブル・ＬＰＰ検出部３６に備えられた閾値設定部３６２は閾値ＴあるいはＴ’を設定する。
続いて光ヘッド３４が記録エリア２４からの受光信号を信号生成部５７に出力し、信号生成部５７は再生信号を生成して再生信号処理部５６に出力する。同時にウォブル・ＬＰＰ検出部３６は信号生成部５７から供給されたラジアルプッシュプル信号Ｓrppより、ＢＰＦ３６１がウォブル信号Ｓwを、閾値設定部３６２はすでに設定した閾値ＴあるいはＴ’を用いてＬＰＰ信号Ｓp+、Ｓp-を検出し、アドレス復調回路３７に出力する。
【００４７】
アドレス復調回路３７はＬＰＰ信号Ｓp+、Ｓp-を復調してアドレス情報を取得し、ドライブコントローラ５４に出力する。
記録エリア２４からの受光信号に基づいた再生信号が再生信号処理部５６で復調された復調信号は、再生情報として出力される。
【００４８】
次に記録再生装置における光記録媒体Ｄ１の記録に係る構成及び動作を説明する。
記録エリア２４に未記録部を有する光記録媒体Ｄ１が記録再生装置の装着部５８に装着されると、光ヘッド３４は記録用のレーザ光を光記録媒体Ｄ１に照射する。ドライブコントローラ５４はウォブル・ＬＰＰ検出部３６より供給されたウォブル信号Ｓwを、記録クロック生成部３８に出力する。また、アドレス復調回路３７より供給されたアドレス情報をシステムコントローラ５５に出力する。
復調されたアドレス情報が入力される記録クロック生成部３８はＰＬＬシンセサイザ回路３８１を有し、記録チャネルクロックを生成して記録パルス生成部３９及びパルス数制御部５０に出力する。
【００４９】
システムコントローラ５５は、ＥＦＭ＋エンコーダ５２、マーク長カウンタ５１、パルス数制御部５０及びＬＤドライバ部５３を制御する。ＥＦＭ＋エンコーダ５２は入力された記録情報を８−１６変調して変調データとし、記録パルス生成部３９とマーク長カウンタ５１に出力する。マーク長カウンタ５１は変調データに基づいて所定のマーク長をカウントするマーク長生成部として動作し、そのカウント値を記録パルス生成部３９とパルス数制御部５０に出力する。パルス数制御部５０は、供給されたカウント値と記録チャネルクロックに基づいて記録パルスが所定のパルスとなるように記録パルス生成部３９を制御する。
記録パルス生成部３９はパルス制御信号を生成し、ＬＤドライバ部５３は供給されたパルス制御信号に基づいて記録パルスパターンを生成する。
【００５０】
生成された記録パルスパターンは光ヘッド３４に入力される。光ヘッド３４はＬＤ３３が所望の記録パルスパターン及びパワーを有するＬＤ発光波形を出力するよう制御することにより、記録情報を光記録媒体Ｄ１に記録する。
なお、記録動作においても、光記録媒体Ｄ１のＬ０層、Ｌ１層に対する記録方法がイングルーブ記録であるかあるいはオングルーブ記録であるかを示す制御信号に基づき、アクチュエータ制御部３５及び光ヘッド３４のフォーカス及びトラッキングは制御される。また、ＬＰＰ信号を検出するために記録再生装置に設定する閾値の情報を示す制御信号に基づき、ウォブル・ＬＰＰ検出部３６に備えられた閾値設定部３６２は閾値ＴあるいはＴ’を設定する。
【００５１】
図１１に光記録媒体Ｄ１に記録または再生する際の、記録再生装置のフローチャートを示す。まず、図１１（Ａ）を用いて第一実施例の光記録媒体Ｄ１における記録再生装置の動作フローを詳述する。
図１１（Ａ）のステップＳ１において、システムコントローラ５５は、光記録媒体Ｄ１のリードインエリア２３からの再生信号に基づいて再生信号処理部５６で復調された識別情報を取得し、メモリ５５１に記憶する。識別情報の一つである記録方法情報は第一実施例において、Ｌ０層の記録方法がオングルーブ記録であり、Ｌ１層の記録方法がイングルーブ記録であることを示す。システムコントローラ５５に記憶された記録方法情報に基づいて、ドライブコントローラ５４はアクチュエータ制御部３５を制御する。
続いてステップＳ２において、ドライブコントローラ５４は記録再生装置に設定する閾値の情報を取得する。第一実施例においてはＬ０層、Ｌ１層のそれぞれのランドプリピット１Ｐ、４Ｐより、負の極性であるＬＰＰ信号Ｓp-を検出するため、どちらの層においても閾値はＴである（図７（ｂ）、図８（ｂ）参照）。
【００５２】
ステップＳ３においてドライブコントローラ５４は、先に取得した閾値の情報に基づいて、閾値設定部３６２に閾値Ｔを設定させる。ここで第一実施例における閾値Ｔは、従来と同じようにウォブル信号Ｓwの振幅方向の負方向側に設けられるため、ステップＳ２及びステップＳ３を省略することもできる。
ステップＳ４においてウォブル・ＬＰＰ検出部３６は閾値Ｔを基にラジアルプッシュプル信号ＳrppよりＬＰＰ信号Ｓp-を検出し、アドレス復調回路３７に出力する。続くステップＳ５においてアドレス復調回路３７はＬＰＰ信号Ｓp-よりアドレス情報を復調し出力する。復調されたアドレス情報に基づき、ステップＳ６においてＬ０層またはＬ１層に対する記録あるいは再生動作を行う。
【００５３】
続いて図１１（Ｂ）を用いて第二実施例の光記録媒体Ｄ１における記録再生装置の動作フローを詳述する。第一実施例と同じ動作をするステップについては説明を省略する。
ステップＳ２において、ドライブコントローラ５４は記録再生装置に設定する閾値の情報を取得する。第二実施例においてＬ０層のランドプリピット１Ｐからは負の極性のＬＰＰ信号Ｓp-を、Ｌ１層のランドプリピット４Ｐからは正の極性のＬＰＰ信号Ｓp+を検出するため、Ｌ０層における閾値はＴ、Ｌ１層における閾値はＴ’である（図７（ｂ）、図８（ｂ）参照）。従ってＬ０層に対する動作フローは第一実施例と同じであるため、説明を省略する。
【００５４】
Ｌ１層における記録再生装置の動作フローを説明する。ステップＳ３においてドライブコントローラ５４は、先に取得した閾値に関する識別情報に基づいて、閾値設定部３６２に閾値Ｔ’を設定させる。
ステップＳ４においてウォブル・ＬＰＰ検出部３６は閾値Ｔ’を基にラジアルプッシュプル信号ＳrppよりＬＰＰ信号Ｓp+を検出し、アドレス復調回路３７に出力する。続くステップＳ５においてアドレス復調回路３７はＬＰＰ信号Ｓp+よりアドレス情報を復調し出力する。復調されたアドレス情報に基づき、ステップＳ６において記録あるいは再生動作を行う。
【００５５】
これにより簡易で経済的な製造方法により生産できる２層型光記録媒体を実現することができると共に、２層以上の多層構造光記録媒体とした場合に、各層ごとに任意にイングルーブ記録とするかオングルーブ記録とするかの選択が可能となり、製造工程の自由度が増して経済的な多層型光記録媒体の提供を可能とすることができる。
【００５６】
なお、以上の説明におけるランドプリピット１Ｐ、４Ｐは、図３に示した形状のものであるが、ランドプリピット１Ｐとしては図１２（ａ）または１２（ｂ）に示すような形状であってもよい。本発明はランドプリピット１Ｐとして図３に示すランド１Ｌ1の全てを削り込んだランドプリピット１Ｐ1、図１２（ａ）、１２（ｂ）に示すような変形タイプのランドプリピット１Ｐ11、１Ｐ12のいずれでも同様に適用できる。
【００５７】
具体的には図１２（ａ）のランドプリピット１Ｐ11は、ランド１Ｌ11の全てを削り込まず一部を残した例、図１２（ｂ）のランドプリピット１Ｐ12は、削り込まれたランド１Ｌ12と隣接するランド１Ｌ22を突出させ、その間のグルーブ１Ｇ12の幅をほぼ一定とした例である。以上で説明した変形タイプは、Ｌ１層のランドプリピット４Ｐにも適用できる。
図１２（ａ）、（ｂ）に示すランドプリピット１Ｐにレーザ光を照射して得られる信号波形は図５とは若干異なるものの同様の信号波形が得られる。同様にランドプリピット４Ｐについても図８とは若干異なるものの同様の信号波形が得られる。いずれの例であっても所望の変調信号が得られれば問題はなく、本発明はランドプリピット１Ｐ、４Ｐの形状には関係なく適用できる。
【００５８】
ところで２層型光記録媒体ではＬ０層とＬ１層に関する識別情報（コントロールデータ）を全てＬ０層のリードインエリア２３に記録する。これは１層型と２層型の光記録媒体が混在するため、記録再生装置がＬ０層（１層目）の識別情報を読み込むだけで光記録媒体がどのようなものであるかを認識できるようにするためである。
好ましくは更にＬ０層、Ｌ１層それぞれの記録方式、すなわちオングルーブ記録であるかイングルーブ記録であるか、及び／またはランドプリピットを再生したＬＰＰ信号を検出するために記録再生装置に設定する閾値に関する識別情報を、各層のリードインエリア２３に予め記録しておく。
このように識別情報を各層のリードインエリア２３に記録すると、各層のリードインエリア２３の情報を異ならせる必要がないので、光記録媒体の製造工程が複雑化せず、より経済的な光記録媒体の製造が可能となる。将来、２層を越える多層構造の光記録媒体を実現する際、それぞれの層についてオングルーブ記録またはイングルーブ記録のいずれか最適な記録法が採用できるだけでなく、記録再生装置との互換性を考慮する必要が無く、各層ごとに記録方法の変更が可能である。
【図面の簡単な説明】
【００５９】
【図１】本発明の２層型光記録媒体Ｄ１の構造を示す拡大断面図である。
【図２】本発明の光記録媒体Ｄ１の平面図である。
【図３】Ｌ０層の基板１の拡大斜視図である。
【図４】基板１の拡大図である。
【図５】基板１におけるグルーブ１Ｇ、ランド１Ｌ、ランドプリピット１Ｐの関係を示す模式図及びラジアルプッシュプル信号Ｓrppの概念図である。
【図６】４分割フォトディテクタ６０を示す図である。
【図７】基板１におけるグルーブ１Ｇ、ランドプリピット１Ｐの関係を示す模式図及びラジアルプッシュプル信号Ｓrppの概念図である。
【図８】基板４におけるグルーブ４Ｇ、ランドプリピット４Ｐの関係を示す模式図及びラジアルプッシュプル信号Ｓrppの概念図である。
【図９】基板４の拡大図である。
【図１０】本発明に係る記録再生装置のブロック図である。
【図１１】記録再生装置におけるフローチャートである。
【図１２】ランドプリピットの他の形態を示す斜視図である。
【図１３】積み上げ工法による従来の２層型光記録媒体の断面図である。
【符号の説明】
【００６０】
１  基板（第１の基板）
１Ａ  光の入射面
１Ｇ、１Ｇ1、１Ｇ2、１Ｇ11、１Ｇ12、１Ｇ21、１Ｇ22  グルーブ（凸部）
１Ｌ、１Ｌ1、１Ｌ2、１Ｌ3、１Ｌ11、１Ｌ12、１Ｌ21、１Ｌ22、１Ｌ31、１Ｌ32  ランド（凹部）
１Ｐ、１Ｐ1、１Ｐ11、１Ｐ12  ランドプリピット
２  有機色素記録層（第１の記録層）
３  半透過反射膜（第１の反射膜）
４  基板（第２の基板）
４Ｇ、４Ｇ1、４Ｇ2  グルーブ（凹部）
４Ｌ、４Ｌ1  ランド（凸部）
４Ｐ、４Ｐ1  ランドプリピット
５  反射膜（第２の反射膜）
６  有機色素記録層（第２の記録層）
３３  レーザ（発光部）
３４  光ヘッド
３６  ウォブル・ＬＰＰ検出部（プリピット検出部）
３７  アドレス復調回路
５４  ドライブコントローラ（制御部）
５５  システムコントローラ（制御部）
５６  再生信号処理部（信号処理部）
５７  信号生成部
５８  装着部
６０  ４分割受光素子（受光部）
【図１】
2006099935.tif 000003
【図２】
2006099935.tif 000004
【図３】
2006099935.tif 000005
【図４】
2006099935.tif 000006
【図５】
2006099935.tif 000007
【図６】
2006099935.tif 000008
【図７】
2006099935.tif 000009
【図８】
2006099935.tif 000010
【図９】
2006099935.tif 000011
【図１０】
2006099935.tif 000012
【図１１】
2006099935.tif 000013
【図１２】
2006099935.tif 000014
【図１３】
2006099935.tif 000015